(57)【特許請求の範囲】
【請求項１】
メダルに対し相対的に動く研磨用の布をメダルに押し当てて汚れを取り除く布式研磨装置とメダルを洗浄水に濡らして研磨又は洗浄を行う流体洗浄研磨装置とを直列的に設け、メダルを布式研磨装置と流体洗浄研磨装置の両方でメダルに付着した汚れを取り除くようにし、布式研磨装置と流体洗浄研磨装置のそれぞれにバイパス路を設け、前記布式研磨装置とそのバイパス路との分岐箇所及び前記流体洗浄研磨装置とそのバイパス路との分岐箇所それぞれにメダルを送る量を配分するメダル分配器を設けた、メダル用汚れ除去装置。
【請求項２】
メダルに対し相対的に動く研磨用の布をメダルに押し当てて汚れを取り除く布式研磨装置とメダルを洗浄水に濡らして研磨又は洗浄を行う流体洗浄研磨装置とを並列的に設け、前記布式研磨装置と前記流体洗浄研磨装置との分岐箇所にメダルを送る量を配分する処理変更用メダル分配器を設け、メダルを布式研磨装置と流体洗浄研磨装置のいずれか一方でメダルに付着した汚れを取り除くようにしたメダル用汚れ除去装置。
【請求項３】
布式研磨装置と流体洗浄研磨装置にそれぞれにバイパス路を設け、前記布式研磨装置とそのバイパス路との分岐箇所及び前記流体洗浄研磨装置とそのバイパス路との分岐箇所それぞれにメダルを送る量を配分するメダル分配器を設けた請求項２記載のメダル汚れ除去装置。
【請求項４】
布式研磨装置と流体洗浄研磨装置のいずれか一方にバイパス路を設け、前記布式研磨装置又は前記流体洗浄研磨装置と前記バイパス路との分岐箇所にメダルを送る量を配分するメダル分配器を設けた請求項２記載のメダル用汚れ除去装置。
【請求項５】
メダル分配器がメダルの分配割合を時間的に変えるようにした請求項１，３，４いずれかに記載のメダル用汚れ除去装置。
【請求項６】
処理変更用メダル分配器がメダルの分配割合を時間的に変えるようにした、請求項２記載のメダル用汚れ除去装置。
【請求項７】
メダル分配器が一方にのみメダルを全部送るようにする切替式である請求項１，３，４いずれかに記載のメダル用汚れ除去装置。
【請求項８】
処理変更用メダル分配器が一方にのみメダルを全部送るようにする切替式である請求項２記載のメダル用汚れ除去装置。
【請求項９】
メダルを投入してゲームを行う複数のゲーム機にメダルを供給するメダル供給ラインの供給端とゲーム機に投入されたメダルを回収するメダル回収ラインの回収端との間に請求項１〜８いずれかに記載のメダル用汚れ除去装置を設けてメダルを循環供給しながらメダルの汚れを除去できるようにしたメダル遊技設備。
【請求項１０】
メダルを投入してゲームを行う複数のゲーム機にメダルを供給するメダル供給ラインの供給端とゲーム機に投入されたメダルを回収するメダル回収ラインの回収端との間に前記メダル回収ラインの回収端からメダル供給ラインの供給端にメダルを直接戻すメダル戻し路を設けてメダルを循環させ、同メダル戻し路と並行にバイパス路を設け、前記メダル戻し路と前記バイパス路との分岐箇所にメダルを送る量を配分する供給メダル分配器を設け、前記バイパス路の途中に請求項１〜８いずれかに記載のメダル用汚れ除去装置を設けてメダルを循環供給しながらメダルの汚れを除去できるようにしたメダル遊技設備。
【請求項１１】
供給メダル分配器がメダルの送り方向の切替を時間的に切替るようにした請求項１０記載のメダル遊技設備。
【請求項１２】
供給メダル分配器が一方にのみメダルを全部送るようにする切替式である請求項１０記載のメダル遊技設備。
【発明の詳細な説明】
【０００１】
【発明の属する技術分野】
本発明はメダルを投入してゲームを行う複数のゲーム機に投入されたメダルを回収するメダル回収ラインによって回収されたメダルを研磨・洗浄してメダルに付着したゴミ，手の汚れ，脂，油などを除去し、研磨したメダルを複数のゲーム機にメダルを供給するメダル供給ラインに送ってメダルを循環させるようにしたメダル用汚れ除去装置及びメダル遊技設備に関する。
【０００２】
【従来の技術】
従来のメダルの研磨配送装置においては、メダル回収ラインによって回収されたゲーム機で使用されたメダルはメダル研磨装置によって研磨を行ってメダル供給ラインに送っていた。メダル研磨装置には主に移動する研磨布や研磨盤を押し当てて研磨を行う乾式のものが多く用いられていた。しかし、乾式の研磨では、十分にメダルに付着したゴミ，手の汚れ，脂，油が除去できない場合があった。また、研磨は常時行うために過度に研磨してしまうこともあった。また研磨布や研磨盤の摩耗による交換も研磨が常時行われるために比較的短い間に行われるものであった。
また、メダル研磨装置は一台のみであったので、処理能力、処理量が不足することがあった。また、メダル研磨装置が故障するとメダルを循環させることができなくなっていた。
【０００３】
【発明が解決しようとする課題】
本発明が解決しようとする課題は従来のこれらの問題を解消し、処理能力及び処理量を向上でき、故障への対応ができ、布式研磨装置と流体洗浄研磨装置で効果的にメダルの研磨を行ってゴミ，手の汚れ，脂，油などを確実に除去してメダルを循環できるようにしたメダル用汚れ除去装置を提供することにある。
【０００４】
【課題を解決するための手段】
かかる課題を解決した本発明の構成は、
１）  メダルに対し相対的に動く研磨用の布をメダルに押し当てて汚れを取り除く布式研磨装置とメダルを洗浄水に濡らして研磨又は洗浄を行う流体洗浄研磨装置とを直列的に設け、メダルを布式研磨装置と流体洗浄研磨装置の両方でメダルに付着した汚れを取り除くようにし、布式研磨装置と流体洗浄研磨装置のそれぞれにバイパス路を設け、前記布式研磨装置とそのバイパス路との分岐箇所及び前記流体洗浄研磨装置とそのバイパス路との分岐箇所それぞれにメダルを送る量を配分するメダル分配器を設けた、メダル用汚れ除去装置
２）  メダルに対し相対的に動く研磨用の布をメダルに押し当てて汚れを取り除く布式研磨装置とメダルを洗浄水に濡らして研磨又は洗浄を行う流体洗浄研磨装置とを並列的に設け、前記布式研磨装置と前記流体洗浄研磨装置との分岐箇所にメダルを送る量を配分する処理変更用メダル分配器を設け、メダルを布式研磨装置と流体洗浄研磨装置のいずれか一方でメダルに付着した汚れを取り除くようにしたメダル用汚れ除去装置
３）  布式研磨装置と流体洗浄研磨装置にそれぞれにバイパス路を設け、前記布式研磨装置とそのバイパス路との分岐箇所及び前記流体洗浄研磨装置とそのバイパス路との分岐箇所それぞれにメダルを送る量を配分するメダル分配器を設けた前記２）記載のメダル汚れ除去装置
４）  布式研磨装置と流体洗浄研磨装置のいずれか一方にバイパス路を設け、前記布式研磨装置又は前記流体洗浄研磨装置と前記バイパス路との分岐箇所にメダルを送る量を配分するメダル分配器を設けた前記２）記載のメダル用汚れ除去装置
５）  メダル分配器がメダルの分配割合を時間的に変えるようにした前記１），３），４）いずれかに記載のメダル用汚れ除去装置
６）  処理変更用メダル分配器がメダルの分配割合を時間的に変えるようにした、前記２）記載のメダル用汚れ除去装置
７）  メダル分配器が一方にのみメダルを全部送るようにする切替式である前記１），３），４）いずれかに記載のメダル用汚れ除去装置
８）  処理変更用メダル分配器が一方にのみメダルを全部送るようにする切替式である前記２）記載のメダル用汚れ除去装置
９）  メダルを投入してゲームを行う複数のゲーム機にメダルを供給するメダル供給ラインの供給端とゲーム機に投入されたメダルを回収するメダル回収ラインの回収端との間に前記１）〜８）いずれかに記載のメダル用汚れ除去装置を設けてメダルを循環供給しながらメダルの汚れを除去できるようにしたメダル遊技設備
１０）  メダルを投入してゲームを行う複数のゲーム機にメダルを供給するメダル供給ラインの供給端とゲーム機に投入されたメダルを回収するメダル回収ラインの回収端との間に前記メダル回収ラインの回収端からメダル供給ラインの供給端にメダルを直接戻すメダル戻し路を設けてメダルを循環させ、同メダル戻し路と並行にバイパス路を設け、前記メダル戻し路と前記バイパス路との分岐箇所にメダルを送る量を配分する供給メダル分配器を設け、前記バイパス路の途中に前記１）〜８）いずれかに記載のメダル用汚れ除去装置を設けてメダルを循環供給しながらメダルの汚れを除去できるようにしたメダル遊技設備
１１）  供給メダル分配器がメダルの送り方向の切替を時間的に切替るようにした前記１０）記載のメダル遊技設備
１２）  供給メダル分配器が一方にのみメダルを全部送るようにする切替式である前記１０）記載のメダル遊技設備
にある。
【０００５】
【作用】
本発明では、直列的に設けた布式研磨装置と流体洗浄研磨装置の両方でメダルに付着した汚れの除去を行う。布式研磨装置では、メダルに対し相対的に動く研磨用の布をメダルに押し当てて汚れを取り除く。一方、流体洗浄研磨装置では、メダルを洗浄水に濡らして研磨又は洗浄を行う。この両方の処理をメダルに行うことによってメダルに付着した汚れを効果的に取り除く。
布式研磨装置と流体洗浄研磨装置のそれぞれにバイパス路を設け、それぞれの分岐箇所にメダル分配器を設けたものは、メダル分配器によって布式研磨装置とそのバイパス路に送るメダルの量を配分し、さらに別のメダル分配器によって流体洗浄研磨装置とそのバイパス路に送るメダルの量を配分してメダルの処理を行う。
布式研磨装置と流体洗浄研磨装置とを並列的に設け、相方に分かれる分岐箇所に処理変更用メダル分配器を設けたものは、処理変更用メダル分配器によって布式研磨装置と流体洗浄研磨装置に送るメダルを必要に応じて配分できるようにして、メダルを布式研磨装置と流体洗浄研磨装置のいずれか一方でメダルに付着した汚れを取り除くようにしてメダルの処理を行う。
メダル分配器及び処理変更用メダル分配器、供給メダル分配器が時間的に変えるようにしたものは、メダルを送る分配割合を所定の時間で切替るようにして時間的な配分ができるようにする。
メダル分配器及び処理変更用メダル分配器、供給メダル分配器が切替式であるものは、メダルの送り方向を一方にのみ全部送るように切替ることができるようにする。
メダル供給ラインの供給端とメダル回収ラインの回収端との間にメダル汚れ除去装置を設けてメダル遊技設備としたものは、メダル回収ラインで回収したメダルに付着した汚れをメダル汚れ除去装置で除去して、メダル供給ラインに送るようにしてメダルを循環供給しながらメダルの汚れを除去できるようにする。
【０００６】
【発明の実施の形態】
本発明のメダル用汚れ除去装置において、ゲーム機で使用するメダルを供給するメダル供給機がゲーム機の近くに設けられる場合にはゲーム機とメダル供給機にメダルを供給するようにしてもよい。
ゲーム機で使用したメダルの回収はゲーム機内部で下方の回収コンベヤに送ってもよいし、ゲーム機の外部やメダル供給機の内部から下方の回収コンベヤに送るようにしてもよい。
メダル供給ライン及びメダル回収ラインには駆動してメダルを移送するコンベヤやメダルの自重でメダルを移送するシュートなどがあり、メダルの目詰り等のトラブルが発生しにくく、スムーズにメダルを移送できるものが好ましい。
布式研磨装置には、ベルト状にした研磨布を用いたものや円盤に研磨布を貼り付けたものを用いるものがあり、どのようなものでもよい。
流体洗浄研磨装置は、超音波洗浄装置のように流体で洗浄を行うものでもメダルを水に濡らしながらブラシで流体研磨を行うものでもよい。
流体洗浄研磨装置において、洗浄又は研磨に用いられる流体には水、洗浄水、薬液など様々な種類があり、汚れや脂、油を落ちやすくするものや殺菌・滅菌を行うもの、艶出しを行うものなどがあり、目的に応じて用いる流体を決めればよい。
流体洗浄研磨装置には、乾燥装置を設けてメダルを十分に乾燥させてからメダルを再供給するものが好ましい。
メダル分配器、処理変更用メダル分配器及び供給メダル分配器はメダルの量を配分するようにしてもよいし、時間で配分するようにしてもよいし、いずれか一方に全部送るように切替式にしてもよい。
【０００７】
【実施例】
本発明の各実施例について図面を参照して具体的に説明する。
実施例１（図１〜７参照）
図１〜７に示すのは、布式研磨装置と流体洗浄研磨装置のそれぞれをバイパスしてメダルを研磨せずに下流に送るバイパス路を設け、布式研磨装置に送るメダルとそのバイパス路に送るメダルにメダルを分配するメダル分配器を設け、流体洗浄研磨装置に送るメダルとそのバイパス路に送るメダルにメダルを分配するメダル分配器を設けたメダル用汚れ除去装置の例であって、メダル供給ラインをゲーム機の上方をつなぐように配置し、メダル回収ラインをゲーム機の下方をつなぐように配置し、メダル用汚れ除去装置をメダル供給ラインの始端の近くでかつメダル回収ラインの終端の近くに配置し、メダル回収ラインの終端からメダル用汚れ除去装置にメダルを送る回収リフトを設け、メダル用汚れ除去装置で研磨したメダルをメダル供給ラインの始端に送る供給リフトを設けたメダル遊技設備の例である。
図１は実施例１のメダル用汚れ除去装置及びメダル遊技設備の斜視図である。図２は実施例１のメダル用汚れ除去装置及びメダル遊技設備の説明図である。図３は実施例１のメダル用汚れ除去装置及びメダル遊技設備の説明図である。図４は実施例１のメダル用汚れ除去装置及びメダル遊技設備の説明図である。図５は実施例１のメダル用汚れ除去装置及びメダル遊技設備の布式研磨装置の説明図である。図６は実施例１のメダル用汚れ除去装置及びメダル遊技設備の流体洗浄研磨装置の説明図である。図７は実施例１のメダル用汚れ除去装置及びメダル遊技設備の概略図である。
図中、１はメダル遊技設備、２はメダル供給ライン、２ａは供給筒、３はメダル回収ライン、３ａ，３ｂ，３ｃは回収コンベヤ、４はゲーム機、４ａはメダル排出シュート、４ｂは蛇腹、５はメダル供給機、７はメダルの汚れ除去装置、８は回収リフト、８ａはリフトコンベヤ、８ｂは移送板、８ｃは受部、８ｄは投入シュート、９はメダルホッパー、１０はメダル分配器、１０ａはモーター、１０ｂはコンベヤ、１０ｃはチェーン、１０ｄ，１０ｅは移送管、１１は布式研磨装置、１１ａ，１１ｂは研磨布、１１ｃ，１１ｄ押圧体、１１ｅは移送管、１２はメダル分配器、１２ａはモーター、１２ｂはコンベヤ、１２ｃはチェーン、１２ｄ，１２ｅは移送管、１３は流体洗浄研磨装置、１３ａは回転盤、１３ｂは下方ブラシ、１３ｃは上方ブラシ、１３ｄは水供給管、１３ｅは回転軸、１３ｆはベアリング、１３ｇは排出シュート、１３ｈはメダル乾燥装置、１４は供給リフト、１４ａはリフトコンベヤ、１４ｂは移送板、１４ｃは受部、１４ｄは供給シュートである。
【０００８】
実施例１では、ゲーム機としてパチスロ機を複数配置し、ゲーム機で使用するメダルを使用する人に供給するメダル供給機をゲーム機に隣接して設けている。まず、このように一列に配置したゲーム機４とメダル供給機５の上方をつなぐようにしてメダル供給ライン２を設ける。メダル供給ライン２は、内部にメダル搬送路が設けられている。次に複数のゲーム機４とメダル供給機５のそれぞれにメダル供給ライン２からメダルを供給する供給筒２ａを設ける。供給筒２ａの上端のメダル供給ライン２との接続部にはメダル供給ライン２から供給筒２ａにメダルを取り込むようにメダル供給ライン２を開閉するゲートを設けている。供給筒２ａの下端はそれぞれゲーム機４又はメダル供給機５に接続する。
次に一列に配置したゲーム機４とメダル供給機５の下方をつなぐようにしてメダル回収ライン３の回収コンベヤ３ａ〜３ｃを設ける。回収コンベヤ３ａ〜３ｃはモーターで駆動したコンベヤによってメダルを移送するものである。次に図１に示すようにゲーム機４にゲームで使用したメダルを排出するためのメダル排出シュート４ａを設け、それぞれのゲーム機４のメダル排出シュート４ａと回収コンベヤ３ａを蛇腹４ｂで接続する。次に図４に示すように回収コンベヤ３ａの終端部分に別の回収コンベヤ３ｂを接続してメダル回収ライン３の送り方向をターンさせ、さらに回収コンベヤ３ｂの終端部分に別の回収コンベヤ３ｃを接続してメダル回収ライン３の送り方向をターンさせる。
次に図１〜４に示すように一列に配置したゲーム機４とメダル供給機５に隣接した位置で、メダル供給ライン２の始端の近くでかつメダル回収ライン３の回収コンベヤ３ｃの終端の近くにメダルの汚れ除去装置７を設ける。まず図２に示すように上部にメダルを一時的に貯めておくメダルホッパー９を設ける。
次にメダルホッパー９の下部にメダル分配器１０を設ける。メダル分配器１０は以下のように構成される。メダルホッパー９のメダルを吐出する吐出口の下部にコンベヤ１０ｂを設ける。次にコンベヤ１０ｂの近くにモーター１０ａを設け、チェーン１０ｃをモーター１０ａの出力軸とコンベヤ１０ｂの駆動プーリーにかけ渡してモーター１０ａとコンベヤ１０ｂを連動可能にする。次に図２に示すようにコンベヤ１０ｂの左端下方にコンベヤ１０ｂからのメダルを受けて下方に移送する移送管１０ｄを設け、コンベヤ１０ｂの右端下方にコンベヤ１０ｂからのメダルを受けて下方に移送する移送管１０ｅを設ける。
次に移送管１０ｄの下方に布式研磨装置１１を設ける。布式研磨装置１１は移送管１０ｄからのメダルｍを上下からはさむように設けた研磨布１１ａ，１１ｂを押圧体１１ｃ，１１ｄによってメダルｍに押しつける構造になっている。研磨布１１ａ，１１ｂは、図示しないリールに前後を巻き取る構造にして定期的に新しい研磨面になるようにしている。研磨したメダルは布式研磨装置１１の下方に送るようにしてさらに移送管１１ｅを布式研磨装置１１の下方に設けて研磨したメダルを送るようにしている。
次に移送管１１ｅ及び移送管１０ｅの下方にメダル分配器１２を設ける。まず移送管１１ｅ及び移送管１０ｅの下方にコンベヤ１２ｂを設け、コンベヤ１２ｂの左端近くにモーター１２ａを設ける。このモーター１２ａの出力軸とコンベヤ１２ｂの駆動プーリーにチェーン１２ｃをかけ渡して、モーター１２ａとコンベヤ１２ｂが連動できるようにする。次にコンベヤ１２ｂの左端の下方にコンベヤ１２ｂからのメダルをさらに下方に送る移送管１２ｄを設け、コンベヤ１２ｂの右端の下方にコンベヤ１２ｂからのメダルをさらに下方に送る移送管１２ｅを設ける。
【０００９】
次に移送管１２ｄの下方に流体洗浄研磨装置１３を設ける。まず図６に示すように回転盤１３ａを設ける。回転盤１３ａの中央上方をメダルの投入口とし、回転盤１３ａには中央から下方に伸びる回転軸１３ｅを取り付け、回転軸１３ｅはベアリング１３ｆによって回転自在に支持する。この回転盤１３ａの上面に下方ブラシ１３ｂを環状に設け、環状に設けた下方ブラシ１３ｂに対向するように上方ブラシ１３ｃを設ける。さらにメダルの投入口から回転盤１３ａに向って洗浄水を噴出する水供給管１３ｄを設ける。回転盤１３ａの外周の筒状のカバーでメダルをガイドするようになっており、筒状のカバーの一部を開口して排出口としており、排出口から排出シュート１３ｇで送るシュートの下方には排水路を設け、シュートの搬送面には水切り孔を多数設けて、メダルに付着した洗浄水を落としながら送るようにしている。さらにシュートの下流にはメダル乾燥装置１３ｈを設けてメダルを乾燥できるようにしている。流体洗浄研磨装置１３の下部には排出シュート１３ｇを設け、水洗浄・水研磨を行ったメダルを斜め下方に排出できるようにする。
次に供給リフト１４を設ける。まず上端がメダル供給ライン２より高く、下端が排出シュート１３ｇの下端及び移送管１２ｅの下端より低いように上下に長いリフトコンベヤ１４ａを設ける。リフトコンベヤ１４ａは図示しないモーターで駆動される。リフトコンベヤ１４ａの搬送面には、メダルを上方に移動させるための移送板１４ｂを所定の間隔で複数設ける。リフト１４ａの下端部分には、排出シュート１３ｇ及び移送管１２ｅからのメダルを受けてリフトコンベヤ１４ａの下端にメダルを集める受部１４ｃを設ける。次にリフトコンベヤ１４ａの上端部分に、リフトコンベヤ１４ａで上端に運んだメダルをメダル供給ライン２の始端部分に自重で送る供給シュート１４ｄを設ける。
次に回収リフト８を設ける。まず上端がメダルホッパー９より高く、下端が回収コンベヤ３ｃより低いように上下に長いリフトコンベヤ８ａを設ける。リフトコンベヤ８ａは図示しないモーターで駆動される。リフトコンベヤ８ａの搬送面には、メダルを上方に移動させるための移送板１４ｂを所定の間隔で複数設ける。リフトコンベヤ８ａの下端部分には、回収コンベヤ３ｃからのメダルを受けてリフトコンベヤ８ａの下端にメダルを集める受部８ｃを設ける。次にリフトコンベヤ８ａの上端部分にリフトコンベヤ８ａで上端に運んだメダルをメダルの自重でメダルホッパー９に送る投入シュート８ｄを設ける。
【００１０】
このメダル遊技設備１を使用するために各装置を作動させ、ゲーム機４及びメダル供給機５の内部に一時的に貯められているメダルが少なくなった場合には、供給筒２ａの上端部分に設けたゲートを閉じてメダル供給ライン２を送られるメダルを供給筒２ａに取り込んで、供給筒２ａからメダルをメダルの自重でゲーム機４又はメダル供給機５に引き入れるようにしてメダルの補給を行えばよい。ゲーム機４を使用するためにゲーム機のメダル投入口に投入されたメダルは、メダル排出シュート４ａから蛇腹４ｂを通って回収コンベヤ３ａに送られる。回収コンベヤ３ａはモーターの駆動によって搬送面でメダルを送り、終端部から下方にメダルを落下させる。メダルは落下して回収コンベヤ３ｂの始端部分の搬送面上に受けられる。回収コンベヤ３ｂはモーターの駆動によって搬送面でメダルを送り、終端部から下方にメダルを落下させる。メダルは落下して回収コンベヤ３ｃの始端部分の搬送面上に受けられる。回収コンベヤ３ｃはモーターの駆動によって搬送面でメダルを送り、終端部から下方にメダルを落下させる。回収コンベヤ３ｃの終端は回収リフト８の受部８ｃの上方に位置しているので、メダルは回収コンベヤ３ｃから受部８ｃ内へ移動する。メダルは自重でリフトコンベヤ８ａの下端に移動し、リフトコンベヤ８ａの移送板８ｂですくい上げられるようにして上方に移動する。上方に移動したメダルは、リフトコンベヤ８ａの上端において図示しない誘導板によって移送板８ｂの上から投入シュート８ｄに移動し、投入シュート８ｄの内部を下方に向って移動し、投入シュート８ｄの下端から落下し、メダルホッパー９内に移送する。メダルホッパー９内のメダルはメダルの吐出口に向って移動し、メダルホッパー９の下端からメダル分配器１０のコンベヤ１０ｂ上に移動する。
コンベヤ１０ｂ上に位置させたメダルはモーター１０ａの回転方向を正逆のどちらにするかによって左右のどちらに送るかを変えることができる。コンベヤ１０ｂ上に位置させたメダルを布式研磨装置１１に送る場合には、コンベヤ１０ｂでメダルを左方向に移送する。メダルはコンベヤ１０ｂの左端から落下し、移送管１０ｄを通って布式研磨装置１１に送られる。また、コンベヤ１０ｂ上に位置させたメダルを布式研磨装置１１で研磨させない場合には、コンベヤ１０ｂでメダルを右方向に移送する。メダルはコンベヤ１０ｂの右端から落下し、移送管１０ｅに送られる。
【００１１】
布式研磨装置１１に送られたメダルは図５に示すように押圧体１１ｃ，１１ｄによって上下からメダルをはさむように押し付けられる研磨布１１ａ，１１ｂの間を移動することによって上下面を研磨される。この研磨によってメダルの表面に付着したゴミ，汚れ，脂，油を除去する。研磨したメダルは下方に送って移送管１１ｅによってさらに布式研磨装置１１の下方に送る。
移送管１１ｅ及び移送管１０ｅの下方にはメダル分配器１２が設けられているので、布式研磨装置１１で研磨されたメダルと布式研磨装置をバイパスしたメダルは、メダル分配器１２のコンベヤ１２ｂ上に送られる。コンベヤ１２ｂ上に位置させたメダルはモーター１２ａの回転方向を正逆のどちらにするかによって左右のどちらに送るか変えることができる。コンベヤ１２ｂ上に位置させたメダルを流体洗浄研磨装置１３に送る場合には、コンベヤ１２ｂでメダルを左方向に移送する。メダルはコンベヤ１２ｂの左端から落下し、移送管１２ｄを通って流体洗浄研磨装置１３に送られる。また、コンベヤ１２ｂ上に位置させたメダルを流体洗浄研磨装置１３で研磨させない場合には、コンベヤ１２ｂでメダルを右方向に移送する。メダルはコンベヤ１２ｂの右端から落下し、移送管１２ｅに送られる。
【００１２】
流体洗浄研磨装置１３に送られたメダルは図６に示すように、回転盤１３ａの中央部分に投入される。回転盤１３ａの回転によってメダルは遠心力を受けて回転盤１３ａの外周側に移動する。よって回転盤１３ａの外周側に設けられた環状の下方ブラシ１３ｂと下方ブラシ１３ｂの上方に設けられた上方ブラシ１３ｃの間にメダルが位置することになる。回転盤１３ａとともに回転する下方ブラシ１３ｂと固定されている上方ブラシ１３ｃの間にメダルが位置して回転盤１３ａの回転力を適度に受けて回転盤１３ａより遅く回転することによって上方ブラシ１３ｃ，下方ブラシ１３ｂのどちらに対しても相対的に異なる速度で移動するので、メダルの上面，下面はどちらも研磨される。さらに水供給管１３ｄによってメダルが水に濡らされて研磨させることによって、さらに汚れを効果的に落とすことができる。この水洗浄・水研磨に用いる水に洗浄水を用いれば、汚れの除去だけでなくさらに油を除去しやすくしたり、殺菌・消毒を行ったり、メダル表面の艶出しを行ったりすることができる。このようにして水洗浄・水研磨を行ったメダルは、流体洗浄研磨装置１３の斜め下部から排出シュート１３ｇによって供給リフト１４の受部１４ｃに送られる。また、コンベヤ１２ｂによって流体洗浄研磨装置１３に送らずに移送管１２ｅに送ってバイパスさせたメダルも、移送管１２ｅの下端から受部１４ｃに向って落下させて送られる。このようにして供給リフト１４の受部１４ｃに送られたメダルは、自重でリフトコンベヤ１４ａの下端に移動し、リフトコンベヤ１４ａの移送板１４ｂですくい上げられるようにして上方に移動する。上方に移動したメダルは、リフトコンベヤ１４ａの上端において図示しない誘導板によって移送板１４ｂの上から供給シュート１４ｄに移動し、供給シュート１４ｄの内部を下方に向って移動し、供給シュート１４ｄの下端から落下してメダル供給ライン２の始端部分に移動して、再度、ゲーム機４及びメダル供給機５に供給される。
【００１３】
このように本実施例１のメダルの汚れ除去装置７では、メダルを布式研磨装置１１で研磨した後で流体洗浄研磨装置１３で研磨を行うことができるので、非常に効果的に研磨を行ってメダルの表面に付着したゴミ，汚れ，脂，油を確実に除去することができる。さらに、本実施例１のメダルの汚れ除去装置７では、布式研磨装置１１の上方にメダル分配器１０を設け、流体洗浄研磨装置１３の上方にメダル分配器１２を設けてそれぞれ、研磨を行わずにバイパスさせることによって、速い方の処理速度を全体の処理速度にすることができる。また、設備全体のメダルの必要な処理速度に対応して布式研磨装置１１のみや流体洗浄研磨装置１３のみの研磨を行うことができる。またさらに、布式研磨装置１１と流体洗浄研磨装置１３のどちらも用いずにさらに供給するようにもできる。よって、設備でのメダルの使用状況に応じて研磨なし・布式研磨装置１１のみで研磨・流体洗浄研磨装置１３のみで研磨・布式研磨装置１１と流体洗浄研磨装置の両方での研磨を使い分けて時間的に切替えて行えばよい。また、メダル分配器１０，１２はコンベヤ１０ｂ，１２ｂの左右への送りを比較的短い時間で切り替えることによって分配する量を変えて使用状況に応じるようにしてもよい。よってゲーム機及びメダル供給機の使用状況に応じて設備に流れるメダルの循環量及び循環速度を調整することもできる。よって研磨を行うことによってメダルが足りなくなったりすることがなく、また、ゲーム機及びメダル供給機の使用が少ない場合に、メダルを循環させる速度が速すぎたり量が多すぎたりして目詰りなどのトラブルが発生するのも防ぐことができる。このように本実施例１のメダルの汚れ除去装置を用いたメダル遊技設備は、設備を循環させるメダルを非常に効果的に用いることができ、ムダな余裕を見込まずに済むので、メダルのコスト及び設備の運用コストも低減することができる。また、布式研磨装置１１が故障した場合には移送管１０ｅにメダルを送り、流体洗浄研磨装置１３が故障した場合には移送管１２ｅにメダルを送るようにすれば、故障に対応でき故障時にメダルを循環させる速度を落とすようなことがなくなる。
【００１４】
実施例２（図８，９参照）
図８，９に示すのは、メダル回収ラインの終端からメダル供給ラインの始端にメダルを送るメダル戻し路を設けたメダルの汚れ除去装置及びメダル遊技設備の例である。
図８は実施例２のメダルの汚れ除去装置及びメダル遊技設備の斜視図である。図９は実施例２のメダルの汚れ除去装置及びメダル遊技設備の概略図である。
図中、１７はメダル回収ライン、１７ａは回収コンベヤ、１７ｂはメダル受部、１７ｃは回収コンベヤ、１８はメダル戻し路として用いた循環リフト、１８ａは受部、１８ｂはシュート、１９は供給メダル分配器である。
実施例２では回収コンベヤ１７ａと回収コンベヤ１７ａからのメダルを受けるメダル受部１７ｂとメダル受部１７ｂからのメダルを送る回収コンベヤ１７ｃを設けてメダル回収ライン１７とし、回収コンベヤ１７ｃからのメダルと流体洗浄研磨装置１３の処理後のメダルを送る排出シュート１３ｇからのメダルと流体洗浄研磨装置１３をバイパスさせた移送管１２ｅからのメダルを受部１８ａで受けて上方に送る循環リフト１８を設け、循環リフト１８の上端近くに供給メダル分配器１９を設け、循環リフト１８の上端部分からシュート１８ｂでメダルを供給メダル分配器１９に送るようにしている。
メダルは回収ライン１７によって回収された後、循環リフト１８によって上方に送られ、供給メダル分配器１９によってメダルの汚れ除去装置７に送るメダルとメダル供給ライン２に送るメダルを分配してメダルを循環させる。このように循環リフト１８と供給メダル分配器１９の組み合せとすることによってリフトを一本にすることができるのでさらにコストを抑制できる。また、メダルの汚れ除去装置７で研磨を行わずにメダルを循環させる場合には、供給メダル分配器１９によってメダル供給ライン２にメダルを送るようにすれば、メダルの汚れ除去装置７のメダル分配器１０，１２を使用しなくても済むので可動させる装置がなくて済み運用コストを抑制することができる。
その他符号、構成、作用、使い方は実施例１と同じである。
【００１５】
実施例３（図１０参照）
図１０に示す実施例３は布式研磨装置と流体洗浄研磨装置を並列的に設け、布式研磨装置と流体洗浄研磨装置にメダルを分配する処理変更用メダル分配器を設け、布式研磨装置と流体洗浄研磨装置のそれぞれにバイパス路を設けたメダルの汚れ除去装置及びメダル遊技設備の例である。
図１０は実施例３のメダルの汚れ除去装置及びメダル遊技設備の概略図である。
図中、２７は処理変更用メダル分配器、２８，２９はメダル分配器、３０，３１はメダルバイパス路である。
実施例３では、図１０に示すように布式研磨装置１１と流体洗浄研磨装置１３を並列的に設け、どちらかの研磨装置でメダルの研磨を行うようにし、さらに布式研磨装置１１と流体洗浄研磨装置１３のそれぞれにメダルバイパス路３０，３１を設けている。このように布式研磨装置１１と流体洗浄研磨装置１３のどちらかで研磨を行うようにしてもよいし、さらにそのそれぞれの研磨装置を必要に応じてメダルがバイパスするようにしてもよい。
その他符号、構成、作用、使い方は実施例１と同じである。
【００１６】
実施例４（図１１参照）
図１１に示す実施例４は布式研磨装置と流体洗浄研磨装置を並列的に設け、布式研磨装置と流体洗浄研磨装置にメダルを分配する処理変更用メダル分配器を設け、流体洗浄研磨装置のみにバイパス路を設けたメダルの汚れ除去装置及びメダル遊技設備の例である。
図１１は実施例４のメダルの汚れ除去装置及びメダル遊技設備の概略図である。
図中、３３は処理変更用メダル分配器、３４はメダル分配器、３５はメダルバイパス路である。
実施例４では、図１１に示すように布式研磨装置１１と流体洗浄研磨装置１３を並列的に設け、どちらかの研磨装置でメダルの研磨を行うようにし、さらに流体洗浄研磨装置１３を必要に応じてメダルがバイパスするようにしている。このような構造にしてもよい。
その他符号、構成、作用、使い方は実施例１と同じである。
【００１７】
【発明の効果】
本発明によれば、処理能力及び処理量を向上でき、故障への対応ができ、布式研磨装置と流体洗浄研磨装置で効果的にメダルの研磨を行ってゴミ、手の汚れ、脂、油などを確実に除去してメダルを循環できるようにしたメダルの汚れ除去装置にできる。
布式研磨装置と流体洗浄研磨装置のそれぞれにバイパス路を設け、それぞれの分岐箇所にメダル分配器を設けたものは、それぞれのバイパス路と布式研磨装置及び流体洗浄研磨装置とにメダルを送る配分を変えることによって、研磨する量・時間に合わせて必要な量のメダルをバイパスさせて送ることができるので、設備内でメダルを効率的に循環させることができる。また、メダルを効率的に循環させることによってメダルを循環させるライン内に一時的に貯められるメダルの量を減らすことができ、設備コストを抑制できる。さらに、布式研磨装置又は流体洗浄研磨装置のどちらかが故障した場合には、バイパス路を使用してメダルをバイパスさせて故障等に対応させることができる。
布式研磨装置と流体洗浄研磨装置とを並列的に設け、相方に分かれる分岐箇所に処理変更用メダル分配器を設けたものは、布式研磨装置と流体洗浄研磨装置とに送るメダルの量を処理変更用メダル分配器で分配して、布式研磨装置と流体洗浄研磨装置の処理できるメダルの量及びそれぞれの処理速度に応じたメダルの配分量にすることによってメダル用汚れ除去装置のメダルの処理速度と処理量を調整してメダルの使用状況に対応することができる。
メダル分配器及び処理変更用メダル分配器、供給メダル分配器が分配割合を時間的に変えるようにしたものは、メダルを循環させるラインを時間で管理する場合に、メダル分配器及び処理変更用メダル分配器、供給メダル分配器を時間で切替えるようにして対応することができ、また設備内のメダルの使用状況やその時間帯に合わせて切替えを行うことができ、さらに効率的にメダルを使用できる。
メダル分配器及び処理変更用メダル分配器、供給メダル分配器が切替式であるものは、メダルの送り方向を一方にのみ全くメダルを送らないようにできるので、連続的な負荷をかけないようにして設備の耐久性を向上させ、また、使用していない設備を動かさないようにしてエネルギーのコストを抑制することができる。
メダル供給ラインの供給端とメダル回収ラインの回収端との間にメダル汚れ除去装置を設けてメダル遊技設備としたものは、メダルを効率的に使用でき、故障に対応でき、より効果的に汚れを除去したメダルを循環するメダル遊技設備にできる。
【図面の簡単な説明】
【図１】実施例１のメダルの汚れ除去装置及びメダル遊技設備の斜視図である。
【図２】実施例１のメダルの汚れ除去装置及びメダル遊技設備の説明図である。
【図３】実施例１のメダルの汚れ除去装置及びメダル遊技設備の説明図である。
【図４】実施例１のメダルの汚れ除去装置及びメダル遊技設備の説明図である。
【図５】実施例１のメダルの汚れ除去装置及びメダル遊技設備の布式研磨装置の説明図である。
【図６】実施例１のメダルの汚れ除去装置及びメダル遊技設備の流体洗浄研磨装置の説明図である。
【図７】実施例１のメダルの汚れ除去装置及びメダル遊技設備の概略図である。
【図８】実施例２のメダルの汚れ除去装置及びメダル遊技設備の斜視図である。
【図９】実施例２のメダルの汚れ除去装置及びメダル遊技設備の概略図である。
【図１０】実施例３のメダルの汚れ除去装置及びメダル遊技設備の概略図である。
【図１１】実施例４のメダルの汚れ除去装置及びメダル遊技設備の概略図である。
【符号の説明】
１  メダル遊技設備
２  メダル供給ライン
２ａ  供給筒
３  メダル回収ライン
３ａ  回収コンベヤ
３ｂ  回収コンベヤ
３ｃ  回収コンベヤ
４  ゲーム機
４ａ  メダル排出シュート
４ｂ  蛇腹
５  メダル供給機
７  メダルの汚れ除去装置
８  回収リフト
８ａ  リフトコンベヤ
８ｂ  移送板
８ｃ  受部
８ｄ  投入シュート
９  メダルホッパー
１０  メダル分配器
１０ａ  モーター
１０ｂ  コンベヤ
１０ｃ  チェーン
１０ｄ  移送管
１０ｅ  移送管
１１  布式研磨装置
１１ａ  研磨布
１１ｂ  研磨布
１１ｃ  押圧体
１１ｄ  押圧体
１１ｅ  移送管
１２  メダル分配器
１２ａ  モーター
１２ｂ  コンベヤ
１２ｃ  チェーン
１２ｄ  移送管
１２ｅ  移送管
１３  流体洗浄研磨装置
１３ａ  回転盤
１３ｂ  下方ブラシ
１３ｃ  上方ブラシ
１３ｄ  水供給管
１３ｅ  回転軸
１３ｆ  ベアリング
１３ｇ  排出シュート
１３ｈ  メダル乾燥装置
１４  供給リフト
１４ａ  リフトコンベヤ
１４ｂ  移送板
１４ｃ  受部
１４ｄ  供給シュート
１７  メダル回収ライン
１７ａ  回収コンベヤ
１７ｂ  メダル受部
１７ｃ  回収コンベヤ
１８  循環リフト
１８ａ  受部
１８ｂ  シュート
１９  供給メダル分配器
２７  処理変更用分配器
２８  メダル分配器
２９  メダル分配器
３０  メダルバイパス路
３１  メダルバイパス路
３３  処理変更用メダル分配器
３４  メダル分配器
３５  メダルバイパス路
ｍ  メダル
【図１】
0003560874.tif 000002
【図２】
0003560874.tif 000003
【図３】
0003560874.tif 000004
【図４】
0003560874.tif 000005
【図５】
0003560874.tif 000006
【図６】
0003560874.tif 000007
【図７】
0003560874.tif 000008
【図８】
0003560874.tif 000009
【図９】
0003560874.tif 000010
【図１０】
0003560874.tif 000011
【図１１】
0003560874.tif 000012